(57)【要約】【課題】  回路構成を複雑にすることなく多くの無線機が同時運用されても充分に相互干渉を防止する。【解決手段】  無線機１０からの送信波は、第１のサーキュレータ１１の第２のポートｂから出力され第１のＢＥＦ２２で全反射されて第２のポートｂに入力され、第３のポートｃから出力されて第２のサーキュレータ１４に入力される。この送信雑音成分が除去された送信波は、第２のサーキュレータ１４をスルーしてアンテナ１７から送信される。アンテナ１７で受信された受信波は、第２のサーキュレータ１４の第２のポートｂから出力され第２のＢＥＦ２５で全反射されて第２のポートｂに入力され、第１のポートａから出力されて第１のサーキュレータ１１に入力される。この妨害波成分が除去された受信波は、第１のサーキュレータ１１をスルーして無線機１０で受信される。【選択図】  図６
2005268898.tif 000002
【特許請求の範囲】
【請求項１】
規定された第１の周波数帯域のみの第１の信号が第１の入出力手段に入力され、規定された第２の周波数帯域のみの第２の信号が第２の入出力手段から出力されるように、前記第１の入出力手段と前記第２の入出力手段との間に設けられるバンドパスフィルタ回路であって、
前記第１の入出力手段に接続される第１のポートと、前記第１の周波数帯域の成分のみを通過させる第１のフィルタが接続されている第２のポートと、第３のポートとを有する第１のサーキュレータと、
前記第１のサーキュレータの第３のポートが接続されている第１のポートと、前記第２周波数帯域の成分を通過させる第２のフィルタが接続されている第２のポートと、前記第２の入出力手段が接続されている第３のポートとを有する第２のサーキュレータとを備え、
前記第１の入出力手段から前記第１のサーキュレータの第１のポートに入力された信号が、その第２のポートから出力されて前記第１のフィルタに出力され、該第１のフィルタにより前記第１の周波数帯域の成分を除く成分が反射されて前記第１のサーキュレータの第３のポートから出力されて、前記第２のサーキュレータの第１のポートに入力され、その第３のポートから出力されて前記第２の入出力手段に供給されることにより、前記第２の周波数帯域のみの前記第２の信号が前記第２の入出力手段から出力され、
前記第２の入出力手段から前記第２のサーキュレータの第３のポートに入力された信号が、その第２のポートから前記第２のフィルタに出力され、該第２のフィルタにより前記信号の前記第２の周波数帯域の成分を除く成分が反射されて前記第２のサーキュレータの第１のポートから出力されて、前記第１のサーキュレータの第３のポートに入力され、その第１のポートから出力されて前記第１の入出力手段に供給されることにより、前記第１の周波数帯域のみの前記第１信号が前記第１の入出力手段に入力されることを特徴とするバンドパスフィルタ回路。
【請求項２】
規定された第１の周波数帯域のみの第１信号が第１の入出力手段に入力され、規定された第２の周波数帯域のみの第２の信号が第２の入出力手段から出力されるように、前記第１の入出力手段と前記第２の入出力手段との間に設けられるバンドパスフィルタ回路であって、
前記第１の入出力手段に接続される第１のポートと、前記第２の周波数帯域の成分を阻止する第１のフィルタが接続されている第２のポートと、第３のポートとを有する第１のサーキュレータと、
前記第１のサーキュレータの第３のポートが接続されている第１のポートと、前記第１周波数帯域の成分を阻止する第２のフィルタが接続されている第２のポートと、前記第２の入出力手段が接続されている第３のポートとを有する第２のサーキュレータとを備え、
前記第１の入出力手段から前記第１のサーキュレータの第１のポートに入力された信号が、その第２のポートから出力されて前記第１のフィルタに出力され、該第１のフィルタにより前記第２の周波数帯域の成分が反射されて前記第１のサーキュレータの第３のポートから出力されて、前記第２のサーキュレータの第１のポートに入力され、その第３のポートから出力されて前記第２の入出力手段に供給されることにより、前記第２の周波数帯域のみの前記第２の信号が前記第２の入出力手段から出力され、
前記第２の入出力手段から前記第２のサーキュレータの第３のポートに入力された信号が、その第２のポートから前記第２のフィルタに出力され、該第２のフィルタにより前記信号の前記第１の周波数帯域の成分が反射されて前記第２のサーキュレータの第１のポートから出力されて、前記第１のサーキュレータの第３のポートに入力され、その第１のポートから出力されて前記第１の入出力手段に供給されることにより、前記第１の周波数帯域のみの前記第１信号が前記第１の入出力手段に入力されることを特徴とするバンドパスフィルタ回路。
【請求項３】
規定された第１の周波数帯域のみの第１信号が第１の入出力手段に入力され、規定された第２の周波数帯域のみの第２の信号が第２の入出力手段から出力されるように、前記第１の入出力手段と前記第２の入出力手段との間に設けられるバンドパスフィルタ回路であって、
前記第１の入出力手段に接続される第１のポートと、前記第１の周波数帯域の成分のみを通過させる第１のフィルタが接続されている第２のポートと、第３のポートとを有する第１のサーキュレータと、
前記第１のサーキュレータの第３のポートが接続されている第１のポートと、前記第１周波数帯域の成分を阻止する第２のフィルタが接続されている第２のポートと、前記第２の入出力手段が接続されている第３のポートとを有する第２のサーキュレータとを備え、
前記第１の入出力手段から前記第１のサーキュレータの第１のポートに入力された信号が、その第２のポートから出力されて前記第１のフィルタに出力され、該第１のフィルタにより前記第１の周波数帯域の成分を除く成分が反射されて前記第１のサーキュレータの第３のポートから出力されて、前記第２のサーキュレータの第１のポートに入力され、その第３のポートから出力されて前記第２の入出力手段に供給されることにより、前記第２の周波数帯域のみの前記第２の信号が前記第２の入出力手段から出力され、
前記第２の入出力手段から前記第２のサーキュレータの第３のポートに入力された信号が、その第２のポートから前記第２のフィルタに出力され、該第２のフィルタにより前記信号の前記第１の周波数帯域の成分が反射されて前記第２のサーキュレータの第１のポートから出力されて、前記第１のサーキュレータの第３のポートに入力され、その第１のポートから出力されて前記第１の入出力手段に供給されることにより、前記第１の周波数帯域のみの前記第１信号が前記第１の入出力手段に入力されることを特徴とするバンドパスフィルタ回路。
【請求項４】
規定された第１の周波数帯域のみの第１信号が第１の入出力手段に入力され、規定された第２の周波数帯域のみの第２の信号が第２の入出力手段から出力されるように、前記第１の入出力手段と前記第２の入出力手段との間に設けられるバンドパスフィルタ回路であって、
前記第１の入出力手段に接続される第１のポートと、前記第２の周波数帯域の成分を阻止する第１のフィルタが接続されている第２のポートと、第３のポートとを有する第１のサーキュレータと、
前記第１のサーキュレータの第３のポートが接続されている第１のポートと、前記第２周波数帯域の成分を通過させる第２のフィルタが接続されている第２のポートと、前記第２の入出力手段が接続されている第３のポートとを有する第２のサーキュレータとを備え、
前記第１の入出力手段から前記第１のサーキュレータの第１のポートに入力された信号が、その第２のポートから出力されて前記第１のフィルタに出力され、該第１のフィルタにより前記第２の周波数帯域の成分が反射されて前記第１のサーキュレータの第３のポートから出力されて、前記第２のサーキュレータの第１のポートに入力され、その第３のポートから出力されて前記第２の入出力手段に供給されることにより、前記第２の周波数帯域のみの前記第２の信号が前記第２の入出力手段から出力され、
前記第２の入出力手段から前記第２のサーキュレータの第３のポートに入力された信号が、その第２のポートから前記第２のフィルタに出力され、該第２のフィルタにより前記信号の前記第２の周波数帯域の成分を除く成分が反射されて前記第２のサーキュレータの第１のポートから出力されて、前記第１のサーキュレータの第３のポートに入力され、その第１のポートから出力されて前記第１の入出力手段に供給されることにより、前記第１の周波数帯域のみの前記第１信号が前記第１の入出力手段に入力されることを特徴とするバンドパスフィルタ回路。
【請求項５】
無線機とアンテナとの間に設けられるバンドパスフィルタ回路であって、
前記無線機に接続される第１のポートと、前記無線機が送信すべき送信周波数帯域を阻止域とする第１のバンドエリミネーションフィルタが接続されている第２のポートと、第３のポートとを有する第１のサーキュレータと、
前記第１のサーキュレータの第３のポートが接続されている第１のポートと、前記無線機が受信すべき受信周波数帯域を阻止域とする第２のバンドエリミネーションフィルタが接続されている第２のポートと、アンテナが接続されている第３のポートとを有する第２のサーキュレータとを備え、
前記無線機から前記第１のサーキュレータの第１のポートに入力された送信波が、その第２のポートから出力されて前記第１のバンドエリミネーションフィルタに出力され、該第１のバンドエリミネーションフィルタにより前記送信波の前記送信周波数帯域成分が反射されて前記第１のサーキュレータの第３のポートから出力されて、前記第２のサーキュレータの第１のポートに入力され、その第３のポートから出力されて前記アンテナに供給されることにより、前記送信周波数帯域の成分のみが前記アンテナから送信され、
前記アンテナから前記第２のサーキュレータの第３のポートに入力された受信波が、その第２のポートから前記第２のバンドエリミネーションフィルタに出力され、該第２のバンドエリミネーションフィルタにより前記受信波の前記受信周波数帯域成分のみが反射されて前記第２のサーキュレータの第１のポートから出力されて、前記第１のサーキュレータの第３のポートに入力され、その第１のポートから出力されて前記無線機に供給されることにより、前記受信周波数帯域成分のみが前記無線機で受信されることを特徴とするバンドパスフィルタ回路。
【請求項６】
前記第１のバンドエリミネーションフィルタの出力側が終端されていると共に、前記第２のバンドエリミネーションフィルタの出力側が終端されていることを特徴とする請求項５記載のバンドパスフィルタ回路。
【発明の詳細な説明】
【技術分野】
【０００１】
本発明は、送信周波数と受信周波数とが異なる周波数とされている複信用無線機において発生する複信用無線機間の相互干渉を軽減するバンドパスフィルタ回路に関するものである。
【背景技術】
【０００２】
双方向通信方式において同時に双方からデータを送信したり受信したりすることができる全二重通信がある。この全二重通信は、上り回線と下り回線とで異なる周波数を用意して２つの回線を確保することで実現することができる。この全二重通信を無線回線を使用して行う場合に用いる複信用無線機では、送信周波数と受信周波数とで異なる周波数が割り当てられた複信用無線機となる。
【発明の開示】
【発明が解決しようとする課題】
【０００３】
このような複信無線機が同時運用されると、送信信号は常時送出されていることから互いに干渉を起こしやすく相互干渉により通信に支障をきたすおそれがあった。そこで、従来は、複信用無線機ごとの使用周波数を相互干渉を起こさないように変えたり、複信用無線機の間隔をあけて配置したり、送信電力を低減することにより相互干渉を防止するようにしていた。
しかしながら、近年のデジタル化等による無線システムでは、送信周波数と受信周波数とで異なる周波数を割り当て、送信と受信とを時分割で切り替えることにより二重通信を行う無線システムがある。このように、送信と受信とを時分割で切り替える二重通信の複信無線機が同時運用されると、複信無線機にはアンテナ共用器が備えられておらず送信フィルタと受信フィルタを有していないことから隣接する無線機の送信信号により受信障害を起こし通信に支障をきたすおそれがあった。
【０００４】
従来、これを解決するために図８に示すバンドパスフィルタ回路１００を無線機１１０とアンテナ１１６との間に挿入することが提案されていた。
図８に示すバンドパスフィルタ回路１００は、無線機１１０に第１のポートａが接続され、第２のポートｂが第１のバンドパスフィルタ（ＢＰＦ）１１２に接続され、第３のポートｃが第２のバンドパスフィルタ（ＢＰＦ）１１５に接続されている第１のサーキュレータ１１１と、第１のバンドパスフィルタ（ＢＰＦ）１１２に第１のポートａが接続され、第２のポートｂがアンテナ１１６に接続され、第３のポートｃがアイソレータ１１４に接続されている第２のサーキュレータ１１３とを備えている。第１のＢＰＦ１１２は、無線機１１０が送信する送信周波数の帯域のみ通過させる特性とされ、第２のＢＰＦ１１５は、無線機１１０が受信する受信周波数の帯域のみ通過させる特性とされている。
【０００５】
このバンドパスフィルタ回路１００では、送信波の伝達経路と受信波の伝達経路が並列とされている。送信波の伝達経路を説明すると、無線機１１０から送信された所定の送信周波数の送信波は、第１のサーキュレータ１１１の第１のポートａに入力されてその第２のポートｂから出力され、第１のＢＰＦ１１２に入力される。第１のＢＰＦ１１２では、無線機１１０から送信された送信波の帯域のみが通過して出力され、この出力は第２のサーキュレータの第１のポートａに入力されてその第２のポートｂから出力され、アンテナ１１６から送信されるようになる。
次に、受信波の伝達経路を説明すると、アンテナ１１６で受信された受信波は、第２のサーキュレータ１１３の第２のポートｂに入力されてその第３のポートｃから出力されアイソレータ１１４を介して第２のＢＰＦ１１５に入力される。第２のＢＰＦ１１５では、無線機１１０が受信すべき受信波の帯域のみが通過して出力される。この出力は、第１のサーキュレータ１１１の第３のポートｃに入力されて、その第１の出力ポートａから出力されて無線機１１０で受信される。
【０００６】
なお、アイソレータ１１４の作用は次の通りである。ＢＰＦ１１２では無線機１１０が送信する送信周波数の帯域のみ通過させる特性とされ、その他の周波数成分は反射されるようになる。ＢＰＦ１１２で反射された周波数成分はサーキュレータ１１１の第２のポートｂに入力されてその第３のポートｃから出力されるようになってＢＰＦ１１５に入力されるようになる。ＢＰＦ１１５では無線機１１０が受信する受信周波数の帯域の信号がＢＰＦ１１５を通過するようになり、ＢＰＦ１１５を通過した信号はアイソレータ１１４により終端されるようになる。ここで、アイソレータ１１４がない場合は、ＢＰＦ１１５を通過した信号はサーキュレータ１１３の第３のポートｃに入力されてその第１のポートａから出力され、さらにＢＰＦ１１２で反射される。この反射された信号は再度第２のサーキュレータ１１３の第１のポートａに入力されてその第２のポートｂから出力されてアンテナ１１６から放射されるため、送信雑音成分となる受信周波数の帯域の信号が送信されてしまうようになる。このように、アイソレータ１１４では送信雑音成分となる受信周波数の帯域の信号が送信されないようにしているのである。
【０００７】
このように、バンドパスフィルタ回路１００により送信波の帯域のみ通過する第１のバンドパスフィルタ１１２により送信雑音成分が除去されて送信されるようになると共に、受信波の帯域のみ通過する第２のバンドパスフィルタ１１５により妨害波成分が除去されて受信されるようになることから、多くの無線機が同時運用されても充分に相互の干渉を防止することができるようになる。しかしながら、図８に示すバンドパスフィルタ回路１００は、アイソレータが必要なため部品点数が増加し、小型化することができないと共にコストも高くなるという問題点があった。
【０００８】
そこで、本発明は部品点数を削減することができ、小型化することができると共にコストも低減することができるバンドパスフィルタ回路を提供することを目的としている。
【課題を解決するための手段】
【０００９】
上記目的を達成するために、本発明のバンドパスフィルタ回路は、第１の入出力手段に入力される規定された第１の周波数帯域の第１の信号のみを通過させる第１のフィルタと、第２の入出力手段から出力される規定された第２の周波数帯域の第２の信号のみを通過させる第２のフィルタとを備え、第１のフィルタで反射させた信号を第２の入出力手段から出力させるようにすると共に、第２のフィルタで反射させた信号を第１の入出力手段に入力させるようにすることを最も主要な特徴としている。
【発明の効果】
【００１０】
本発明によれば、第１の入出力手段に入力される規定された第１の周波数帯域の第１の信号のみを通過させる第１のフィルタと、第２の入出力手段から出力される規定された第２の周波数帯域の第２の信号のみを通過させる第２のフィルタとを備え、第１のフィルタで反射させた信号を第２の入出力手段から出力させるようにすると共に、第２のフィルタで反射させた信号を第１の入出力手段に入力させるようにするしている。これにより、アイソレータを不要とすることができ小型化することができると共にコストも低減することができるバンドパスフィルタ回路を提供することができるようになる。
【発明を実施するための最良の形態】
【００１１】
部品点数を削減することができ、小型化することができると共にコストも低減することができるバンドパスフィルタ回路を提供するという目的を、第１の入出力手段に入力される規定された第１の周波数帯域の第１の信号のみを通過させる第１のフィルタと、第２の入出力手段から出力される規定された第２の周波数帯域の第２の信号のみを通過させる第２のフィルタとを備え、第１のフィルタで反射させた信号を第２の入出力手段から出力させるようにすると共に、第２のフィルタで反射させた信号を第１の入出力手段に入力させるようにしたことで実現した。
【００１２】
本発明のバンドパスフィルタ回路の実施例の構成を図１に示す。
図１に示す本発明の実施例のバンドパスフィルタ回路１は、複信用の無線機１０とアンテナ１７との間に挿入されて設置される。このバンドパスフィルタ回路１は、第１のサーキュレータ１１と第２のサーキュレータ１４を縦続接続しており、第１のサーキュレータ１１には無線機１０に割り当てられている送信周波数の帯域が少なくとも阻止域とされているフィルタＡ１２が接続されており、第２のサーキュレータ１４には無線機１０に割り当てられている受信周波数の帯域が少なくとも阻止域とされているフィルタＢ１５が接続されている。このような構成の本発明にかかるバンドパスフィルタ回路１は、送信波および受信波とされる高周波の伝送方向によって伝送特性の異なる非可逆性の回路となる。
【００１３】
送信波が伝送される際のバンドパスフィルタ回路１の動作について説明すると、無線機１０から送信された送信波は、第１のサーキュレータ１１の第１のポートａに入力され、その第２のポートｂから出力されてフィルタＡ１２に入力される。フィルタＡ１２の阻止域は少なくとも無線機１０に割り当てられている送信周波数の帯域とされているため、無線機１０から送信された送信波の送信周波数成分はフィルタＡ１２で全反射されて第１のサーキュレータ１１の第２のポートｂに入力される。そして、送信波に含まれている送信周波数帯域外の送信雑音成分は、フィルタＡ１２を通過して終端抵抗１３で吸収されるようになる。このようにして、第１のサーキュレータ１１の第２のポートｂに入力された不要波成分が除去された送信波は、第１のサーキュレータの第３のポートｃから出力されて第２のサーキュレータ１４の第１のポートａに入力される。第２のサーキュレータ１４の第１のポートａに入力された送信波は、第２のサーキュレータ１４の第３のポートｃから出力されてアンテナ１７に供給されて、送信雑音成分が除去された送信波がアンテナ１７から送信されるようになる。
【００１４】
次に、送信波と割り当てられた周波数帯域が異なる受信波が伝送される際のバンドパスフィルタ回路１の動作について説明すると、アンテナ１７により受信された受信波は、第２のサーキュレータ１４の第３ポートｃに入力し、その第２のポートｂから出力されてフィルタＢ１５に入力される。フィルタＢ１５の阻止域は少なくとも無線機１０に割り当てられている受信周波数の帯域とされているため、アンテナ１７により受信された受信波の受信すべき周波数成分はフィルタＢ１５で全反射されて第２のサーキュレータ１４の第２のポートｂに入力される。そして、受信波に含まれている受信周波数帯域外の妨害波成分はフィルタＢ１５を通過して終端抵抗１６により吸収されるようになる。このようにして、第２のサーキュレータ１４の第２のポートｂに入力された妨害波成分が除去された受信波は、第２のサーキュレータ１４の第１のポートａから出力されて第１のサーキュレータ１１の第３のポートｃに入力される。第１のサーキュレータ１１の第３のポートｃに入力された受信波は、第１のサーキュレータ１１の第１のポートａから出力されて無線機１０に供給されて、無線機１０で受信されるようになる。
【００１５】
このように、無線機１０から送信される送信波は、第２のサーキュレータ１４をスルーするためフィルタＢ１５の影響を受けることがないと共に、アンテナ１７で受信された受信波は、第１のサーキュレータ１１をスルーするためフィルタＡ１２の影響を受けることがないようにされている。このように、本発明のバンドパスフィルタ回路１は、送信波／受信波の伝送方向によって伝送特性の異なる非可逆性となり、複信用の無線機１０に好適なバンドパスフィルタ回路１となる。また、原理上アイソレータを不要とすることができることから部品点数を削減することができ、小型化することができると共にコストも低減することができる。
なお、第１のサーキュレータ１１の第１のポートａに接続されるものは無線機１０に限るものではなく所定の周波数帯域の出力信号を出力すると共に、これと異なる周波数帯域の入力信号が入力される入出力手段であればよく、第２のサーキュレータ１４の第３のポートｃに接続されるものはアンテナ１７に限るものではなく入出力機能を有する入出力手段であればよい。また、これとは逆に第１のサーキュレータ１１の第１のポートａに入出力機能を有する入出力手段を接続し、第２のサーキュレータ１４の第３のポートｃに所定の周波数帯域の出力信号を出力すると共に、これと異なる周波数帯域の入力信号が入力される入出力手段を接続するようにしてもよい。
【００１６】
次に、フィルタＡ１２とフィルタＢ１５の第１の実施例の周波数特性を図２に示す。この図に示すように、フィルタＡ１２とフィルタＢ１５はバンドエリミネーションフィルタにより構成されている。バンドエリミネーションフィルタであるノッチフィルタは、簡易な構成で急峻な特性を得やすいフィルタとされている。バンドエリミネーションフィルタにより構成されたフィルタＡ１２は、図２に示すように阻止域が無線機１０における送信周波数帯域Ｂｔとされている。これにより、フィルタＡ１２において送信周波数帯域Ｂｔのみの成分が反射され、送信雑音となる成分は通過して終端抵抗１３により吸収されるようになる。このフィルタＡ１２により反射された送信周波数帯域Ｂｔの成分がアンテナ１７から送信されるようになるが、バンドエリミネーションフィルタにより構成されたフィルタＡ１２の遮断特性は急峻とされることから、アンテナ１７から送信される送信波からは送信雑音成分が十分除去されており、相互干渉を起こすことを十分防止することができるようになる。
【００１７】
また、バンドエリミネーションフィルタにより構成されたフィルタＢ１５は、図２に示すように阻止域が無線機１０における受信周波数帯域Ｂｒとされている。これにより、フィルタＢ１５において受信周波数帯域Ｂｒのみの成分が反射され、妨害波となる成分は通過して終端抵抗１６により吸収されるようになる。このフィルタＢ１５により反射された受信周波数帯域Ｂｒの成分が無線機１０で受信されるようになるが、バンドエリミネーションフィルタにより構成されたフィルタＢ１５の遮断特性は急峻とされることから、アンテナ１７で受信された受信波からは妨害波成分が十分除去されており、受信障害を起こすことを十分防止することができるようになる。
【００１８】
次に、フィルタＡ１２とフィルタＢ１５の第２の実施例の周波数特性を図３に示す。この図に示すように、フィルタＡ１２とフィルタＢ１５はバンドパスフィルタにより構成されている。バンドパスフィルタにより構成されたフィルタＡ１２は、図３に示すように通過域が無線機１０における受信周波数帯域Ｂｒとされて送信周波数帯域Ｂｔは阻止域に属するようにされている。これにより、フィルタＡ１２において送信雑音となる受信周波数帯域Ｂｒの成分は通過して終端抵抗１３により吸収されるようになり、送信周波数帯域Ｂｔの成分は反射されるようになる。このフィルタＡ１２により反射された送信周波数帯域Ｂｔの成分がアンテナ１７から送信されるようになるが、バンドパスフィルタにより構成されたフィルタＡ１２の遮断特性は十分急峻とされることから、アンテナ１７から送信される送信波からは送信雑音成分が十分除去されており、相互干渉を起こすことを十分防止することができるようになる。
【００１９】
また、バンドパスフィルタにより構成されたフィルタＢ１５は、図３に示すように通過域が無線機１０における送信周波数帯域Ｂｔとされて受信周波数帯域Ｂｒは阻止域に属するようにされている。これにより、フィルタＢ１５において妨害波となる成分は通過して終端抵抗１６により吸収されるようになり、受信周波数帯域Ｂｒの成分は反射されるようになる。このフィルタＢ１５により反射された受信周波数帯域Ｂｒの成分が無線機１０で受信されるようになるが、バンドパスフィルタにより構成されたフィルタＢ１５の遮断特性は十分急峻とされることから、アンテナ１７で受信された受信波からは妨害波成分が十分除去されており、受信障害を起こすことを十分防止することができるようになる。
【００２０】
次に、フィルタＡ１２とフィルタＢ１５の第３の実施例の周波数特性を図４に示す。この図に示すように、フィルタＡ１２はバンドパスフィルタにより構成され、フィルタＢ１５はバンドエリミネーションフィルタにより構成されている。バンドパスフィルタにより構成されたフィルタＡ１２は、図４に示すように通過域が無線機１０における受信周波数帯域Ｂｒとされて送信周波数帯域Ｂｔは阻止域に属するようにされている。これにより、フィルタＡ１２において送信雑音となる受信周波数帯域Ｂｒの成分は通過して終端抵抗１３により吸収されるようになり、送信周波数帯域Ｂｔの成分は反射されるようになる。このフィルタＡ１２により反射された送信周波数帯域Ｂｔの成分がアンテナ１７から送信されるようになるが、バンドパスフィルタにより構成されたフィルタＡ１２の遮断特性は十分急峻とされることから、アンテナ１７から送信される送信波からは送信雑音成分が十分除去されており、相互干渉を起こすことを十分防止することができるようになる。
【００２１】
また、バンドエリミネーションフィルタにより構成されたフィルタＢ１５は、図４に示すように阻止域が無線機１０における受信周波数帯域Ｂｒとされている。これにより、フィルタＢ１５において受信周波数帯域Ｂｒのみの成分が反射され、妨害波となる成分は通過して終端抵抗１６により吸収されるようになる。このフィルタＢ１５により反射された受信周波数帯域Ｂｒの成分が無線機１０で受信されるようになるが、バンドエリミネーションフィルタにより構成されたフィルタＢ１５の遮断特性は急峻とされることから、アンテナ１７で受信された受信波からは妨害波成分が十分除去されており、受信障害を起こすことを十分防止することができるようになる。
【００２２】
次に、フィルタＡ１２とフィルタＢ１５の第４の実施例の周波数特性を図５に示す。この図に示すように、フィルタＡ１２はバンドエリミネーションフィルタにより構成され、フィルタＢ１５はバンドパスフィルタにより構成されている。バンドエリミネーションフィルタにより構成されたフィルタＡ１２は、図５に示すように阻止域が無線機１０における送信周波数帯域Ｂｔとされている。これにより、フィルタＡ１２において送信周波数帯域Ｂｔのみの成分が反射され、送信雑音となる成分は通過して終端抵抗１３により吸収されるようになる。このフィルタＡ１２により反射された送信周波数帯域Ｂｔの成分がアンテナ１７から送信されるようになるが、バンドエリミネーションフィルタにより構成されたフィルタＡ１２の遮断特性は急峻とされることから、アンテナ１７から送信される送信波からは送信雑音成分が十分除去されており、相互干渉を起こすことを十分防止することができるようになる。
【００２３】
また、バンドパスフィルタにより構成されたフィルタＢ１５は、図５に示すように通過域が無線機１０における送信周波数帯域Ｂｔとされて受信周波数帯域Ｂｒは阻止域に属するようにされている。これにより、フィルタＢ１５において妨害波となる成分は通過して終端抵抗１６により吸収されるようになり、受信周波数帯域Ｂｒの成分は反射されるようになる。このフィルタＢ１５により反射された受信周波数帯域Ｂｒの成分が無線機１０で受信されるようになるが、バンドパスフィルタにより構成されたフィルタＢ１５の遮断特性は十分急峻とされることから、アンテナ１７で受信された受信波からは妨害波成分が十分除去されており、受信障害を起こすことを十分防止することができるようになる。
【００２４】
上記説明した本発明にかかるバンドパスフィルタ回路におけるフィルタＡ１２とフィルタＢ１５とが第１の実施例の周波数特性とされている具体的な構成を図６に示す。図６に示すバンドパスフィルタ回路２ではフィルタＡ１２が第１のバンドエリミネーションフィルタ（ＢＥＦ）２２とされ、フィルタＢ１５が第２のバンドエリミネーションフィルタ（ＢＥＦ）２５とされている。
図６に示すバンドパスフィルタ回路２において、第１のＢＥＦ２２は阻止域が無線機１０における送信周波数帯域Ｂｔとされている。これにより、第１のＢＥＦ２２において送信周波数帯域Ｂｔのみの成分が反射され、送信雑音となる成分は通過して終端抵抗１３により吸収されるようになる。この第１のＢＥＦ２２により反射された送信周波数帯域Ｂｔの成分がアンテナ１７から送信されるようになるが、バンドエリミネーションフィルタにより構成されたフィルタＡ１２の遮断特性は急峻とされることから、アンテナ１７から送信される送信波からは送信雑音成分が十分除去されており、相互干渉を起こすことを十分防止することができるようになる。
【００２５】
また、第２のＢＥＦ２５は阻止域が無線機１０における受信周波数帯域Ｂｒとされている。これにより、フィルタＢ１５において受信周波数帯域Ｂｒのみの成分が反射され、妨害波となる成分は通過して終端抵抗１６により吸収されるようになる。このフィルタＢ１５により反射された受信周波数帯域Ｂｒの成分が無線機１０で受信されるようになるが、バンドエリミネーションフィルタにより構成された第２のＢＥＦ２５の遮断特性は急峻とされることから、アンテナ１７で受信された受信波からは妨害波成分が十分除去されており、受信障害を起こすことを十分防止することができるようになる。
【００２６】
図６に示すバンドパスフィルタ回路２の伝送特性を示す周波数特性のグラフを図７に示す。この場合、例えば無線機１０の送信周波数帯域Ｂｔは１６０±０．６ＭＨｚとされ受信周波数帯域Ｂｒは１５６±０．６ＭＨｚとされている。
前述したようにバンドパスフィルタ回路１の伝送特性は送信波がアンテナ１７に向かう場合と、受信波が無線機１０に向かう場合とで非可逆性である。図７においては、アンテナ１７に向かう送信波の伝送特性がTo ANTで示されており、無線機１０に向かう受信波の伝送特性がFrom ANTで示されている。図７を参照すると、送信波の伝送特性においては送信周波数帯域Ｂｔにおいて通過損失が約１．５ｄＢとされ、受信周波数帯域Ｂｒにおいて約２４ｄＢ以上のの減衰量が得られていることが分かる。また、受信波の伝送特性においては受信周波数帯域Ｂｒにおいて通過損失が約１ｄＢとされ、送信周波数帯域Ｂｔにおいて約２０ｄＢ以上の減衰量が得られていることが分かる。
【産業上の利用可能性】
【００２７】
なお、以上の説明では無線機とアンテナとの間に設けるバンドパスフィルタ回路、あるいは、第１の入出力手段と第２の入出力手段との間に設けるバンドパスフィルタ回路としたが、本発明は、これに限るものではなく非可逆性のバンドパス特性が必要な回路として一般的に用いることができるものである。
【図面の簡単な説明】
【００２８】
【図１】本発明のバンドパスフィルタ回路の実施例の構成を示す図である。
【図２】本発明のバンドパスフィルタ回路におけるフィルタＡとフィルタＢの第１の実施例の周波数特性を示す図である。
【図３】本発明のバンドパスフィルタ回路におけるフィルタＡとフィルタＢの第２の実施例の周波数特性を示す図である。
【図４】本発明のバンドパスフィルタ回路におけるフィルタＡとフィルタＢの第３の実施例の周波数特性を示す図である。
【図５】本発明のバンドパスフィルタ回路におけるフィルタＡとフィルタＢの第４の実施例の周波数特性を示す図である。
【図６】本発明のバンドパスフィルタ回路の具体的な構成を示す図である。
【図７】本発明のバンドパスフィルタ回路の具体的な構成における伝送特性を示すグラフである。
【図８】従来のバンドパスフィルタ回路の構成を示す図である。
【符号の説明】
【００２９】
１  バンドパスフィルタ回路、２  バンドパスフィルタ回路、１０  無線機、１１  第１のサーキュレータ、１２  フィルタＡ、１３  終端抵抗、１４  第２のサーキュレータ、１５  フィルタＢ、１６  終端抵抗、１７  アンテナ、２２  第１のバンドエリミネーションフィルタ、２５  第２のバンドエリミネーションフィルタ、１００  バンドパスフィルタ回路、１１０  無線機、１１１  第１のサーキュレータ、１１２  第１のバンドパスフィルタ、１１３  第２のサーキュレータ、１１４  アイソレータ、１１５  第２のバンドパスフィルタ、１１６  アンテナ、Ｂｒ  受信周波数帯域、Ｂｔ  送信周波数帯域
【図１】
2005268898.tif 000003
【図２】
2005268898.tif 000004
【図３】
2005268898.tif 000005
【図４】
2005268898.tif 000006
【図５】
2005268898.tif 000007
【図６】
2005268898.tif 000008
【図７】
2005268898.tif 000009
【図８】
2005268898.tif 000010